(57)【要約】【課題】拡散板における隣り合う表示部への光漏れを抑制して、設計自由度を向上させることができる表示装置を提供すること。【解決手段】収容室に設けられた光源の光を拡散させる拡散板５が、表示部ごとに対応して拡散を行う領域に区画された区画領域５ａと、各区画領域５ａの間に設けられ、この区画領域５ａどうしを区画する長穴形状の区画長穴５１と、この区画長穴５１に隣接して設けられ、区画領域５ａどうしを連結する連結部５ｂと、を備え、ケース側に、区画長穴５１に挿通され、区画長穴５１を介して光が区画領域５ａ間を進むのを遮蔽する遮蔽板を立設した。これにより、区画領域５ａを通過する光が、拡散板５の内部を通って隣り合う区画領域５ａに進むのが妨げられ、光漏れを防止できる。【選択図】図１１
2008225199.tif 000002
【特許請求の範囲】
【請求項１】
収容室を囲む箱状に形成されているとともに、開口が形成されたケースと、
このケースの収容室に収容され、前記開口に向けて光を出射可能な複数の光源と、
前記開口を覆って設けられ、前記光源により照明される複数の表示部が設けられた表示板と、
この表示板の前記光源側に設けられ、前記光源の光を拡散させる拡散板と、
を備えた表示装置であって、
前記拡散板が、前記表示部ごとに対応して拡散を行う領域に区画された区画領域と、各区画領域の間に設けられ、この区画領域どうしを区画する長穴形状の区画長穴と、この区画長穴に隣接して設けられ、前記区画領域どうしを連結する連結部と、を備え、
前記ケース側に、前記区画長穴に挿通され、前記区画長穴を介して光が前記区画領域間を進むのを遮蔽する遮蔽板が立設されていることを特徴とする表示装置。
【請求項２】
前記連結部の周辺位置で前記拡散板を貫通して形成され、前記拡散板内を進む光が、前記連結部を介して前記区画領域間を直線的に進むのを妨げるよう配置されたラビリンス貫通部を備えていることを特徴とする請求項１に記載の表示装置。
【請求項３】
前記拡散板および表示板が、長板状に形成されているとともに、前記区画領域および表示部が、前記拡散板の長手方向に一列に設けられ、
前記連結部が、拡散板の前記長手方向に直交する方向の両端縁部に形成されているとともに、前記区画長穴が、前記連結部の間で前記直交方向に延在され、
前記連結部の前記長手方向両側に、前記拡散板の端縁から切欠して前記ラビリンス貫通部としての切欠部が形成されていることを特徴とする請求項２に記載の表示装置。
【請求項４】
前記切欠部の前記直交方向の突出代が、前記連結部の前記直交方向の幅よりも大きな寸法に形成されていることを特徴とする請求項３に記載の表示装置。
【請求項５】
前記表示板と前記拡散板とが前記光の出射方向に離れて設置されて、両板の間に空間が設けられ、
前記遮蔽片が、前記拡散板を貫通して、その立設方向の先端面が前記表示板に当接されていることを特徴とする請求項１〜４のいずれか１項に記載の表示装置。
【発明の詳細な説明】
【技術分野】
【０００１】
本発明は、複数の光源が収容されたケースにおいて、光源から出射される光を拡散させる拡散板が設けられた表示装置に関する。
【背景技術】
【０００２】
従来、複数の光源がケースに一列に収容され、このケースにおいて光源の光が出射される開口部に、拡散板と文字板とが重ねて設けられ、文字板において書く光源の出射方向には、文字や意匠から成り、光源の点灯時に発光表示される表示部が形成されたものが知られている（例えば、特許文献１参照）。
すなわち、この特許文献１に記載された表示装置は、メータパネルにおいて、自動変速機のセレクトポジションを表示する部分に適用され、文字板には、セレクトポジションを示す、Ｐ，Ｒ，Ｎ，Ｄなどの文字が示された表示部が設けられ、セレクトポジションに応じて光源の１つが点灯し、その出射方向に配置された表示部としてのＰ，Ｒ，Ｎ，Ｄなどの文字部分の１つが点灯される。
【特許文献１】特開２００５−６７２９２号公報
【発明の開示】
【発明が解決しようとする課題】
【０００３】
しかしながら、上述の従来技術では、光源から出射された光が拡散板を通過する際に、その一部が拡散板の内部を拡散板に沿う方向に進んで光漏れが生じるため、表示部を近接して配置した場合や、拡散板と文字板とを離して配置した場合など、点灯させた表示部に隣り合う表示部も、薄っすらと点灯されるという問題があった。
そこで、このような光漏れにより隣り合う表示部が薄っすらと点灯するのを防止するためには、表示部を充分に離して配置したり、拡散板と文字板とを当接して配置したりする必要が生じ、その分、設計自由度が低くなるという問題があった。
【０００４】
本発明は、上述の従来の問題点に着目して成されたもので、拡散板における隣り合う表示部への光漏れを抑制して、設計自由度を向上させることができる表示装置を提供することを目的とするものである。
【課題を解決するための手段】
【０００５】
上述の目的を達成するために本発明は、収容室を囲む箱状に形成されているとともに、開口が形成されたケースと、このケースの収容室に収容され、前記開口に向けて光を出射可能な複数の光源と、前記開口を覆って設けられ、前記光源により照明される複数の表示部が設けられた表示板と、この表示板の前記光源側に設けられ、前記光源の光を拡散させる拡散板と、を備えた表示装置であって、前記拡散板が、各表示部ごとに対応して拡散を行う領域に区画された区画領域と、各区画領域の間に設けられ、この区画領域どうしを区画する長穴形状の区画長穴と、この区画長穴に隣接して設けられ、前記区画領域どうしを連結する連結部と、を備え、前記ケース側に、前記区画長穴に挿通され、前記区画長穴を介して光が前記区画領域間を進むのを遮蔽する遮蔽板が立設されていることを特徴とする表示装置とした。
【０００６】
また、請求項２に記載の発明は、請求項１に記載の表示装置において、前記連結部の周辺位置で前記拡散板を貫通して形成され、前記拡散板内を進む光が、前記連結部を介して前記区画領域間を直線的に進むのを妨げるよう配置されたラビリンス貫通部を備えていることを特徴とする表示装置とした。
【０００７】
請求項３に記載の発明は、請求項２に記載の表示装置において、前記拡散板および表示板が、長板状に形成されているとともに、前記区画領域および表示部が、前記拡散板の長手方向に一列に設けられ、前記連結部が、拡散板の前記長手方向に直交する方向の両端縁部に形成されているとともに、前記区画長穴が、前記連結部の間で前記直交方向に延在され、前記連結部の前記長手方向両側に、前記拡散板の端縁から切欠して前記ラビリンス貫通部としての切欠部が形成されていることを特徴とする表示装置とした。
【０００８】
請求項４に記載の発明は、請求項３に記載の表示装置において、前記切欠部の前記直交方向の突出代が、前記連結部の前記直交方向の幅よりも大きな寸法に形成されていることを特徴とする表示装置とした。
【０００９】
請求項５に記載の発明は、請求項１〜４のいずれか１項に記載の表示装置において、前記表示板と前記拡散板とが前記光の出射方向に離れて設置されて、両板の間に空間が設けられ、前記遮蔽片が、前記拡散板を貫通して、その立設方向の先端面が前記表示板に当接されていることを特徴とする表示装置とした。
【発明の効果】
【００１０】
本発明では、光源点灯時には、光源から出射された光が、拡散板の複数の区画領域のうち、点灯された光源に対応して配置された１つの区画領域を通過して拡散された後、その光の出射方向に配置された表示板の複数の表示部のうちの１つの表示部が照明される。
このとき、拡散板において、光が通過する区画領域では、拡散される光の一部が、拡散板の内部を隣り合う区画領域の方向へ進行するが、区画領域の間には、区画長穴が形成されていて、拡散板の連続性が遮断されているとともに、この区画長穴に、区画領域間を光が進むのを遮蔽する遮蔽板が挿通されているため、隣り合う区画領域への光の進行が妨げられる。
このように、本発明では、拡散板において、隣り合う区画領域への光漏れが防止されるため、表示板にあっても、隣り合う表示部への光漏れが防止される。
したがって、表示部の間隔や、拡散板と表示板との間隔に関する制約が緩和され、設計自由度が向上する。
しかも、各区画領域どうしは、連結部で連結されて、一体に繋がっているため、各区画領域を別体に形成した場合と比較して、持ち運びが容易で、組付作業性に優れる。
【００１１】
さらに、請求項２に記載の発明では、拡散板の内部を隣り合う区画領域に向かって進む光のうちの一部が、区画領域を連結する連結部を進もうとするが、連結部に向かって直線的に進む光の進行は、拡散板を貫通したラビリンス貫通部により拡散板の連続性が絶たれていることで妨げられる。
このように、請求項２の発明では、拡散板において、隣り合う区画領域への連結部を介した光の進行が妨げられ、いっそう光漏れ防止性能が向上する。
【００１２】
請求項３に記載の発明では、連結部が、拡散板の端縁の両側に形成されているため、一般的に、光源は、区画領域および表示部の中央部を照明することから、連結部を拡散板の中央部に設けた場合と比較して、連結部を介して隣り合う区画領域へ光が進行することが生じにくく、より光漏れ防止性能が向上する。
請求項４に記載の発明では、切欠部が、連結部の幅よりも突出して形成されているため、切欠部の突出寸法が、連結部の幅よりも小さな場合と比較して、連結部を介した光の進行をより確実に防止でき、さらに光漏れ防止性能を向上させることができる。
請求項５に記載の発明では、拡散板と表示板との間に空間が設けられているため、拡散板から出射された光の一部が、この間隔の部分の空間を、表示板において隣り合う表示部の方向に進む。
この発明では、遮蔽板の先端面が表示板に当接されているため、この空間を介して隣り合う表示部へ進む光を遮蔽板で遮断することができる。
【００１３】
このように、表示板と拡散板との間に空間が設けられた構成であっても、光漏れを防止でき、より設計自由度が高くなる。
【発明を実施するための最良の形態】
【００１４】
以下、本発明の実施の形態を図面に基づいて説明する。
この実施の形態の表示装置は、収容室（２６）を囲む箱状に形成されているとともに、開口（２７）が形成されたケース（２）と、このケース（２）の収容室（２６）に収容され、前記開口（２７）に向けて光を出射可能な複数の光源（３１）と、前記開口（２７）を覆って設けられ、前記光源（３１）により照明される複数の表示部（６４ａ）が設けられた表示板（６４）と、この表示板（６４）の前記光源（３１）側に設けられ、前記光源（３１）の光を拡散させる拡散板（５）と、を備えた表示装置であって、前記拡散板（５）が、前記表示部（６４ａ）ごとに対応して拡散を行う領域に区画された区画領域（５ａ）と、各区画領域（５ａ）の間に設けられ、この区画領域（５ａ）どうしを区画する長穴形状の区画長穴（５１）と、この区画長穴（５１）に隣接して設けられ、前記区画領域（５ａ）どうしを連結する連結部（５ｂ）と、を備え、前記ケース側に、前記区画長穴（５１）に挿通され、前記区画長穴（５１）を介して光が前記区画領域（５ａ）間を進むのを遮蔽する遮蔽板（４３ｅ）が立設されていることを特徴とする表示装置である。
【実施例１】
【００１５】
以下に、図１〜図１３に基づいて、この発明の最良の実施の形態の実施例１の表示装置について説明する。
【００１６】
この実施例１の表示装置は、図４に示すように、インストルメントパネル１の車幅方向（図において矢印ＳＲおよびＳＬの方向）の略中央に配置された表示装置Ａに適用されている。
【００１７】
この表示装置Ａは、図５に示す５種類の意匠部を点灯させることで、図示を省略したシートベルト装置の装着状態を表示するもので、図６に示すように、ケース２、基板３、シェード４、拡散板５、レンズ６を備えている。
【００１８】
ケース２は、硬質の樹脂により形成されており、左側壁２１と右側壁２２と上壁２３と下壁２４と奥壁２５とで収容室２６を囲むとともに、出入用開口部２７を有した略矩形の箱状に形成されている。なお、実施例１を説明するのにあたり、上下左右の方向は、前述のインストルメントパネル１に取り付けた際の車両を基準とし、図において矢印ＳＲが車両右方向を、矢印ＳＬが車両左方向を、矢印ＵＰが車両上方を、矢印ＤＮが車両下方を、矢印ＦＲが車両前方を、矢印ＲＲが車両後方を示している。
【００１９】
左右両側壁２１，２２の内側には、それぞれ、出入用開口部２７から収容室２６の奥に向かって上下に離間して配置されたガイド片２１ａ，２１ｂ，２２ａ，２２ｂに挟まれたスライドガイド溝２１ｃ，２２ｃが形成されている。
また、これらスライドガイド溝２１ｃ，２２ｃの溝幅は、図７に示すように、出入用開口部２７側の溝幅Ｈ１よりも奥壁２５側の溝幅Ｈ２の方が、狭く形成されており、奥壁２５側の溝幅Ｈ２は、基板３をきつく挟持可能に、基板３の板厚寸法に略等しい寸法に形成されている。
このようにスライドガイド溝２１ｃ，２２ｃの奥壁２５の近傍において、基板３との間に隙間が生じることなくきつく挟持可能な溝幅に形成された部分が挟持部２１ｄである。なお、図７では、左側壁２１に形成されたスライドガイド溝２１ｃを示しているが、右側壁２２のスライドガイド溝２２ｃも、同様に形成されている。
【００２０】
また、右側壁２２には、図６に示すように、スライドガイド溝２２ｃよりも車両上方位置に、略長方形のコネクタ接続用開口部２２ｅが開口されている。
このコネクタ接続用開口部２２ｅは、基板３に実装された後述する基板側コネクタ３２に、後述する外部コネクタ１０を接続するのに差し込むための開口で、右側壁２２の一般部２２ｆは、この接続状態で外部コネクタ１０の突出量を抑えるために出入用開口部２７の端縁位置よりも内側に配置されており、出入用開口部２７の近傍のみ、一般部２２ｆから車両右方向に突出された膨出部２２ｇが形成されている。
【００２１】
また、ケース２の出入用開口部２７の車両左右方向の両側には、それぞれ取付フランジ２８，２８が車両左右方向に突出して形成されている。
また、出入用開口部２７の車両左右方向の両端には、位置決めピン２９ａ，２９ｂが車両後方へ向けて突出されている。
【００２２】
基板３は、硬質の樹脂材料により、図６に示すように、ケース２の収容室２６の平面形状に対応した形状の板状に形成されている。
そして、基板３の上面３ａには、レンズ６の５箇所に形成された後述する意匠部を照明する光源としての５個のＬＥＤ（Light Emitting Diode）３１，３１，３１，３１，３１が実装されているとともに、図外の外部機器に接続された外部コネクタを接続する基板側コネクタ３２が設けられている。
なお、各ＬＥＤ３１は、車両後方（矢印ＲＲ方向）へ光を出射可能に実装されている。
また、基板側コネクタ３２は、基板３を収容室２６に収容した際に、接続口３２ａがケース２のコネクタ接続用開口部２２ｅに対面するよう配置されている。
また、車両前方側の端部３３において、車両左右方向に離れた２箇所に、挿通用穴３３ａが基板３を貫通して形成されている。
また、基板３の車両前後方向の寸法は、図１に示すように基板３を収容室２６に収容した状態で、ケース２の出入用開口部２７から基板３の車両後方側の端部３４が突出する寸法に形成されている。
【００２３】
シェード４は、ケース２に出入用開口部２７を覆って装着され、各ＬＥＤ３１から出射された光が、それぞれの車両後方に配置された照明対象の意匠部のみを照明するよう隣り合う意匠部の方向へ進む光を遮るもので、硬質で非透光性の樹脂により形成され、外枠部４１、フランジ部４２、隔壁部４３を備えている。
【００２４】
外枠部４１は、ケース２の出入用開口部２７よりも一回り小さな略矩形の筒状に形成されており、図８の側面図に示すように、外枠部４１の車両後方を向いた先端部は、車両下方に傾斜されている。
フランジ部４２は、外枠部４１の全周から外周方向へ突出されており、外枠部４１の車両前方側の端縁よりも僅かに車両後方側位置に設けられている。
【００２５】
隔壁部４３は、図９のシェード４の横断面図に示すように、外枠部４１の内側空間を５つに区画する略四角錘形状の５つの角錘状部４３ａ，４３ａ，４３ａ，４３ａ，４３ａを備えている。これら角錘状部４３ａは、車両前方に配置されたＬＥＤ３１を囲むように配置される入光部４３ｂから、車両前方側の意匠部を囲む出光部４３ｃに向けて徐々に内周を拡げるように形成されている。
【００２６】
また、図１に示すように、ケース２の収容室２６に収容された基板３の車両後方側の端部３４は、車両前後方向で隔壁部４３の角錘状部４３ａと重なって配置され、図１０のシェード４の正面図に示すように隔壁部４３の入光部４３ｂの下端部に連続して、基板３の車両前方側の端部３３との干渉を防止する切欠部４３ｄが形成されている。
【００２７】
さらに、隔壁部４３には、図６に示すように、角錘状部４３ａと角錘状部４３ａとの間の４箇所に、略長方形の板状の遮蔽板４３ｅが車両後方へ向けて突出されている。この遮蔽板４３ｅは、その車両後方を向いた先端面４３ｆが、図８に示すように、車両下方向きに湾曲した形状に形成されている。なお、この形状はレンズ６の後述する表示板６４の形状に応じて形成されているもので、すなわち、図１に示す装置の組付状態で、遮蔽板４３ｅの先端面４３ｆが、表示板６４の裏面に隙間が生じることなく当接できるように形成されている。
【００２８】
また、外枠部４１の外周とフランジ部４２の車両後方側の端面とで形成されるコーナ部分は、位置決め用の６個の位置決め用立片４４が立設されている。これらの位置決め用立片４４は、図１０に示すように、外枠部４１の上部の２箇所で、車両上下方向に立設されたものと、外枠部４１の下部の２箇所で、車両上下方向に立設されたものと、外枠部４１の左右の２箇所で、略水平方向に立設されたものと、を備えている。
【００２９】
さらに、図６に示すように、外枠部４１の車両後方側の端面の左右２箇所に、拡散板５の位置決め用の位置決めピン４５，４５が、車両後方に向けて突出されている。また、フランジ部４２の左右には、ケース２から突出された位置決めピン２９ａ，２９ｂが挿通されてケース２に対するシェード４の位置決めを行う位置決め切欠部４２ａおよび位置決め孔４２ｂが形成されている（図１０参照）。
【００３０】
拡散板５は、ＬＥＤ３１から出射された光をレンズ６に向けて全体に略均一な照度となるように拡散させるもので、ポリカーボネート樹脂などの透明樹脂により略長方形の板状に形成されており、擦りガラス状やギザギザ状などの表面加工を行ったり、あるいは光拡散物質を内部や表面に分散したりすることで光拡散機能が与えられている。
【００３１】
この拡散板５は、図１に示すように、シェード４の外枠部４１の先端面に当接状態で設置されるもので、図１１に示すように、各隔壁部４３の出光部４３ｃの全面を覆う広さに区画された５つの区画領域５ａが、一対の連結部５ｂで連結された構造となっている。
すなわち、区画領域５ａと区画領域５ａとの間に、シェード４の４枚の遮蔽板４３ｅを挿通させる車両上下方向に細長い区画長穴５１が形成され、この区画長穴５１で区画領域５ａどうしが区画されて連続性が絶たれている。また、この区画長穴５１の上下に区画領域５ａどうしを一体に連結する連結部５ｂが設けられ、全ての区画領域５ａが一体となっている。
さらに、拡散板５の外周には、位置決め用切欠部５２とラビリンス切欠部５３とが形成されている。
位置決め用切欠部５２は、拡散板５の左右両端縁部において上下方向中間部に形成されており、組付時にシェード４の位置決めピン４５，４５が挿通されてシェード４に対する位置決めを行う。
【００３２】
ラビリンス切欠部５３は、拡散板５の内部を通る光が、連結部５ｂを介して隣り合う区画領域５ａに直線的に進むのを妨げるもので、拡散板５の長手方向に直交する方向の端縁である上下両端縁において、各連結部５ｂを挟んで左右一対配置され、先端が区画長穴５１の上下端部と同じ高さに達する略三角形状に形成されており、かつ、上下左右に対称に配置されている。
【００３３】
レンズ６は、シェード４および拡散板５を覆った状態で、ケース２の端部に装着されるもので、透光性を有した樹脂により形成されており、図６に示すように、外周枠部６１、突出部６２、係止部材６３を備えている。
外周枠部６１は、ケース２の出入用開口部２７よりも一回り小さな略矩形の筒状に形成されている。
突出部６２は、外周枠部６１から車両後方である表示方向に突出して形成され、この突出方向（車両後方）の先端に、横長の表示板６４を備えている。
【００３４】
この表示板６４の表面には、レンズ６の正面図である図５に示すように、シートベルト装着状態を表す５種類の意匠部６４ａ，６４ａ，６４ａ，６４ａ，６４ａが、基板３のＬＥＤ３１およびシェード４の出光部４３ｃと車両前後方向に重なって、車両左右方向に並設されている。
また、表示板６４は、拡散板５の車両後方に空間Ｃを介して配置されており、レンズ６の側面図である図１２に示すように、車両下方を向くように湾曲されて形成され、さらに、表示板６４の裏側には、図１に示すように、拡散板５を押える押え片６６が車両前方へ突出して形成されている。
【００３５】
係止部材６３は、ケース２への装着時に、ケース２の上壁２３および下壁２４に形成された係止爪２３ａ，２４ａ（図７参照）に係合可能に形成されている。また、この係止部材６３と係止爪２３ａ，２４ａとの係合状態で、外周枠部６１から側方へ突出された取付フランジ６５，６５が、ケース２の取付フランジ２８，２８と対面して当接するように形成されている。
【００３６】
次に、基板３を固定する構造について説明する。
ケース２を、車両前方の斜め下方から見上げた斜視図である図２に示すように、ケース２の奥壁２５において車両左右方向に離れた２箇所に固定用凹部７が形成されている。この固定用凹部７は、基板３の車両前方側の端部３３の一部（この部位を基板露出部３３ｂとする）をケース２の外部に露出させるもので、奥壁２５の一部を収容状態の基板３の車両前方側の端部３３の位置よりも車両後方まで略半円状に凹ませて形成されている。
また、この固定用凹部７の車両上方の高さは、図１にも示しているように、収容状態の基板３の上面３ａの高さに形成され、この固定用凹部７の上端に、基板３の上面３ａを支持する基板支持面７１が形成されており、さらに、図１３にも示しているように、固定用凹部７の縦壁７２の上端部において基板支持面７１に連続する高さに、基板３の基板露出部３３ｂが通過可能な溝幅の露出用開口部７３が開口されている。
【００３７】
また、基板支持面７１には、図１に示すように、基板３を固定する螺子８を締結可能に内周に雌螺子が切られた締結穴７４が車両上方に向けて形成されている。
さらに、固定用凹部７の車両上方には、固定用凹部７よりも幅狭の縦に細長い形状の治具差込用溝７５が、締結穴７４に達しない深さで形成されている。
なお、この治具差込用溝７５の溝幅は、後述する基板３の取出作業に用いる治具（例えば、マイナスドライバ）を挿入可能な幅に形成されている。
【００３８】
次に、実施例１の作用について説明する。
（組付手順）
表示装置Ａの組付手順について説明すると、まず、ケース２に基板３を収容する。
この場合、基板３の左右両端縁部を、ケース２の左右両側壁２１，２２の内面に形成されたスライドガイド溝２１ｃ，２２ｃに差し込み、基板３を、両スライドガイド溝２１ｃ，２２ｃに沿って奥壁２５に突き当たるまでスライドさせて、収容室２６に収容する。
【００３９】
この基板３のスライドにおいて、スライド初期は、基板３は、スライドガイド溝２１ｃ，２２ｃの溝幅が広い部分をスライドするため、スライドがスムーズに行われる。そして、基板３の収容室奥側の端縁が奥壁２５に達する直前で、基板３がスライドガイド溝２１ｃ，２２ｃの挟持部２１ｄに達し、強く挟持され、基板３が出入用開口部２７の方向へスライドするのが規制された収容状態となる。
【００４０】
この収容状態で、基板３の車両前方側の端部３３は、基板露出部３３ｂが、露出用開口部７３を通り、ケース２の外部である固定用凹部７に配置される。また、基板露出部３３ｂは、図１および図２に示すように、基板支持面７１にその上面３ａを沿うとともに、挿通用穴３３ａが、締結穴７４と略同軸に配置される。
【００４１】
そこで、螺子８を、挿通用穴３３ａに挿通させ、締結穴７４に締結させることで、基板３がケース２に固定される。
なお、以上の作業は、ケース２を上下裏返しにして行うのが好ましい。
【００４２】
次に、ケース２の出入用開口部２７にシェード４を取り付ける。
この際、ケース２の出入用開口部２７を上向きにし、シェード４のフランジ部４２に形成された位置決め切欠部４２ａ，位置決め孔４２ｂに、ケース２の位置決めピン２９ａ，２９ｂを挿通させることでシェード４のケース２に対する位置決めを行う。
【００４３】
さらに、シェード４の外枠部４１の先端に、拡散板５を装着する。
この装着時には、拡散板５の区画長穴５１に、シェード４の遮蔽板４３ｅを挿通させるとともに、拡散板５の位置決め用切欠部５２，５２に、シェード４の位置決めピン４５，４５を挿通させて、シェード４に対する拡散板５の位置決めを行う。この作業も、ケース２の出入用開口部２７を上向きにして行うことで、シェード４および拡散板５の脱落を防止しながら作業を行うことができる。
【００４４】
次に、レンズ６をケース２に装着する。
この場合、レンズ６を、ケース２の出入用開口部２７側に被せ、レンズ６の外周枠部６１の内周を、シェード４の位置決め用立片４４の外径方向の先端に当接させ、さらに、レンズ６の係止部材６３がケース２の係止爪２３ａ，２４ａに係合するまで押し込む、この係止部材６３と係止爪２３ａ，２４ａとの係合で、レンズ６がケース２に固定される。また、このレンズ６の装着状態で、図１に示すように、表示板６４の裏側に突設された押え片６６が、拡散板５およびシェード４を押圧してケース２との間に挟持している。
以上の工程で表示装置Ａの組付を終える。
【００４５】
このようにして組み付けられた表示装置Ａは、両取付フランジ２８，６５を車両のインストルメントパネル１に締結させて車載されるもので、この場合、車両側に配索された配線の先端に取り付けられた外部コネクタ１０（図２参照）を、ケース２のコネクタ接続用開口部２２ｅから差し込んで、基板３の基板側コネクタ３２と接続させ、車両側と電気的に接続する。
【００４６】
上述の両コネクタ１０，３２の接続作業の際に、基板３に対して、車両左右方向に接続時の荷重が入力されるが、基板３は、螺子８でケース２に固定されているため、この接続作業による荷重の入力で基板３がスライドガイド溝２１ｃ，２２ｃから脱落するのを防止できる。
【００４７】
（ＬＥＤ３１の点灯時）
次に、ＬＥＤ３１の点灯時の作用を説明する。
ＬＥＤ３１の点灯時には、ＬＥＤ３１から出射された光が、拡散板５の複数の区画領域５ａのうちで、ＬＥＤ３１の光の出射方向である車両後方に配置された区画領域５ａを通過して拡散された後に、レンズ６の表示板６４の５箇所の意匠部６４ａのうちの一箇所の意匠部６４ａが照明される。
このとき、拡散板５にあっては、区画領域５ａで拡散される光が、拡散板５の内部を拡散板５に沿う方向に進むため、各区画領域５ａ内に留まらずに、隣り合う区画領域５ａの方向へ進もうとする。
これに対し、本実施例１では、区画領域５ａどうしの間に、区画長穴５１が形成されていてその連続性が絶たれているとともに、この区画長穴５１に遮蔽板４３ｅが挿通されている。このため、隣り合う区画領域５ａに向かって進む光は、これら区画長穴５１および遮蔽板４３ｅによりその進行が妨げられ、光漏れが防止される。
また、隣り合う区画領域５ａどうしが、連結部５ｂで連結されているため、上述の隣り合う区画領域５ａに進む光の一部が、連結部５ｂへ進もうとするが、実施例１では、連結部５ｂを挟んで、その両側にラビリンス切欠部５３，５３を形成しているため、上述の光は、隣り合う区画領域５ａに直線的に進むことができず、途中で減衰される。
以上により、拡散板５の内部において、隣り合う区画領域５ａへの光漏れが防止される。
【００４８】
また、拡散板５を通過した光は、拡散板５とレンズ６の表示板６４との間の空間Ｃを通過するため、拡散板５を通過した光が、空間Ｃにおいて、照明する意匠部６４ａに隣り合う他の意匠部６４ａへ進もうとするが、この空間Ｃは、遮蔽板４３ｅで仕切られているため、この隣り合う意匠部６４ａへ向かう光が遮断される。
よって、空間Ｃにおいて、隣り合う意匠部６４ａへの光漏れが防止される。
【００４９】
以上のように、実施例１では、拡散板５内の光漏れ、および、拡散板５とレンズ６の表示板６４との間の空間Ｃにおける光漏れを防止できる。
このため、所定の意匠部６４ａを点灯させようとした際に、隣り合う意匠部６４ａが光漏れにより薄っすらと点灯するのを防止できる。
これにより、意匠部６４ａの間隔の設定自由度が高くなるとともに、実施例１のように、拡散板５と表示板６４との間に空間Ｃを設定することが可能となり、設計自由度が向上する。
【００５０】
さらに、本実施例１では、この空間Ｃを設定できたことで、レンズ６の表示板６４は、曲面に形成しているのに対し、拡散板５としては、安価かつ製造容易な平板のものを用いることが可能となり、これによっても、設計自由度が向上するとともに、製造コストを低く抑えることが可能となる。
【００５１】
（メンテナンス時）
次に、表示装置Ａのメンテナンスに際し、基板３をケース２から抜き出す際の手順を説明する。
まず、外部コネクタ１０を、基板側コネクタ３２から引き抜く。この際、基板３が螺子８でケース２に固定されているため、両コネクタ１０，３２の接続時と同様に、基板３にコネクタ引抜作業時の荷重が入力されて、スライドガイド溝２１ｃ，２２ｃから脱落するのを防止できる。
【００５２】
次に、取付フランジ２８，６５のインストルメントパネル１に対する締結を外して、表示装置Ａをインストルメントパネル１から取り外す。そして、レンズ６の係止部材６３とケース２の係合爪２３ａ，２４ａとの係合を外す。
【００５３】
次に、螺子８を緩めケース２から外す。
そして、治具差込用溝７５および固定用凹部７に、例えば、マイナスドライバなどの治具を縦（車両上下方向）に向けて差し込み、ケース外部に露出している基板３の基板露出部３３ｂの収容室奥側の端縁を車両前方に押して車両後方へスライドさせる。この場合、固定用凹部７に露出している基板露出部３３ｂの全てが、ケース２内に隠れるまでスライドさせるのが好ましい。
【００５４】
これにより、基板３は、スライドガイド溝２１ｃ，２２ｃの挟持部２１ｄで挟持された位置から出入用開口部２７の方向へスライドされ、挟持部２１ｄによる基板３に対する挟持力が弱まるとともに、基板３の車両後方側の端部３４が、出入用開口部２７から車両後方へ突出している突出量が増える。
そこで、基板３において、出入用開口部２７から突出している部分を、指や治具で掴んで車両後方へスライドさせる。
【００５５】
このように、実施例１では、基板３をケース２から抜き出す際に、電気部品の非実装領域である基板露出部３３ｂの端縁を押してスライドさせるため、強くスライド方向に押しても基板３に実装された電気部品を損傷させることが無い。
加えて、基板３の押出後に、出入用開口部２７側で基板３を掴む際にも、出入用開口部２７から突出された部分を掴むことができるとともに、挟持部２１ｄによる挟持力が弱められた状態で引っ張ることができるため、収容室２６で挟持部２１ｄに挟持されて収容された基板３を掴んで引き出すのと比較して、基板３に実装された電気部品に損傷を与えることを抑制できるとともに、スライドに要する力も少なくて済み、作業性に優れる。
【００５６】
しかも、実施例１では、固定用凹部７を左右対称な位置に配置しているため、基板３を左右均等に少しずつ押すことで、基板３に左右方向の傾きが生じることを防止して、スムーズに押し出すことができる。
【００５７】
さらに、実施例１では、出入用開口部２７を、基板３に実装したＬＥＤ３１で照明する意匠部６４ａを備えたレンズ６で覆うようにしたため、レンズ６とは別に出入用開口部２７を覆う蓋部材を設ける必要がなくなり、部品点数を削減することができる。
しかも、出入用開口部２７をレンズ６で覆った構造であっても、右側壁２２にコネクタ接続用開口部２２ｅを形成することで、電気的な接続を可能とすることができる。
【００５８】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００５９】
例えば、実施例１では、表示装置Ａを車載のシートベルトの装着状態を表示する装置に適用した例を示したが、自動変速機のセレクトポジションを表示する他の車載の表示装置に適用できる他、車両以外の産業機器や、家電製品などにも適用することができる。
【００６０】
また、実施例１では、遮蔽板として、シェード４に一体に形成した遮蔽板４３ｅを示したが、これに限定されずケースなど他の部材に一体に形成してもよい。
【００６１】
また、実施例１では、拡散板５と表示板６４との間に空間Ｃを設けたものを示したが、拡散板と表示板とを当接させたものにも適用することができる。この場合、拡散板と表示板とを平板状に形成してもよいし、あるいは両板を湾曲形状に形成してもよい。
【００６２】
また、実施例１では、ラビリンス貫通部として、三角形のラビリンス切欠部５３を示したが、この切欠部の形状は、三角に限らず、円弧形状や矩形などの他の形状、あるいは細長い長穴状など他の形状としてもよい。
【００６３】
また、実施例１では、ラビリンス切欠部５３の寸法を、連結部５ｂの幅に一致させた例を示したが、連結部５ｂの幅よりも大きな寸法に形成すれば、光漏れ防止性能が向上する。一方、連結部５ｂの幅よりも小さな寸法とすれば、光漏れ防止性能は、低下するが、連結部５ｂの強度が増し、作業性が向上する。
【００６４】
また、実施例１では、区画領域５ａおよび表示部としての意匠部６４ａが一列に設けられたものを示したが、これに限定されず、例えば、図１４に示すように、複数列設けられたものにも適用できる。
すなわち、図１４に示す拡散板２０５，３０５では、区画領域２０５ａ，３０５ａが図において上下２段、横３列の６箇所に区画されており、図示を省略した表示板の表示部は、各区画領域２０５ａ，３０５ａの正面である光出射方向に重なって配置されている。
このように区画領域２０５ａ，３０５ａを配置した場合、図示を省略した遮蔽板を挿通する区画長穴は、図１４（ａ）に示す区画長穴２５１のように、全体を一体に形成してもよいし、あるいは、同図（ｂ）の区画長穴３５１ａ，３５１ｂのように、縦横のそれぞれの向きに複数形成してもよい。
【００６５】
図１４（ａ）の例の場合、連結部２０５ｂが拡散板２０５の外周端縁部のみに形成されているため、ラビリンス貫通部２５３ａ，２５３ｂ，２５３ｃ，２５３ｄ，２５４は、実施例１と同様に、拡散板２０５の外周のみに形成されている。なお、ラビリンス貫通部２５３ａは、実施例１で示した三角形の切欠であるが、これ以外の形状に形成してもよく、ラビリンス貫通部２５３ｂは、半円形状、ラビリンス貫通部２５３ｃは、長方形形状、ラビリンス貫通部２５３ｄは、先端が円弧状の長穴状の切欠としている。また、ラビリンス貫通部２５４は、矩形の切欠と矩形の貫通穴とを組み合わせて形成されている。
【００６６】
一方、図１４（ｂ）の例の場合、拡散板３０５の外周端縁部に形成した連結部３０５ｂの他に、拡散板３０５の中央部にも連結部３０５ｃが設けられている。
この図１４（ｂ）の例では、連結部３０５ｃにのみラビリンス貫通部３５３ａ〜３５３ｈを示しているが、外周縁部の連結部３０５ｂにおける光漏れが少ない場合、この部位にラビリンス貫通部を省略することもできるし、あるいは、実施例１や図１４（ａ）に示したラビリンス貫通部を設けてもよい。
【００６７】
また、図１４（ｂ）に示すラビリンス貫通部３５３ａ〜３５３ｈは、複数の穴で構成されている。すなわち、ラビリンス貫通部３５３ａ，３５３ｂ，３５３ｃ，３５３ｄは、拡散板３０５を貫通する複数の矩形の穴で形成されており、また、これらの穴の一部は、区画長穴３５１ａ，３５１ｂに連続して形成されている。
また、ラビリンス貫通部３５３ｅ，３５３ｆは、円形の複数の穴で形成されている。また、ラビリンス貫通部３５３ｇ，３５３ｈは、三角形の複数の穴で形成されており、これらの穴の一部は、区画長穴３５１ａ，３５１ｂに連続して形成されている。
【００６８】
したがって、図１４に示す例にあっても、拡散板２０５，３０５において、隣り合う区画領域２０５ａ，３０５ａに進む光が、区画長穴２５１，３５１ａ，３５１ｂおよびこれに挿通された遮蔽片（図示省略）により遮蔽される。また、連結部２０５ｂ，３０５ｃを介して、隣り合う区画領域２０５ａ，３０５ａへ進もうとする光は、各ラビリンス貫通部２５３ａ〜２５３ｄ，２５４，３５３ａ〜３５３ｈにより直線的に進むのが妨げられ、連結部２０５ｂ，３０５ｃを介した光漏れを抑制できる。
このように、ラビリンス貫通部は、拡散板を貫通して形成された切欠あるいは穴を、光が連結部を直線的に進むのを妨げるように配置されていれば、所期の効果が得られるものであり、実施例１および図１４に示した形状や配置のものに限定されない。
【図面の簡単な説明】
【００６９】
【図１】本発明の最良の実施の形態の実施例１の表示装置を適用した表示装置Ａの縦断面図であって、図３のＳ１−Ｓ１線で切断した状態を示している。
【図２】前記表示装置Ａを、斜め下方から見上げた状態を示す斜視図である。
【図３】前記表示装置Ａの背面図である。
【図４】前記表示装置Ａを搭載したインストルメントパネル１を示す正面図である。
【図５】前記表示装置Ａのレンズ６の正面図である。
【図６】前記表示装置Ａの分解斜視図である。
【図７】前記表示装置Ａのレンズ６の縦断面図である。
【図８】前記表示装置Ａのシェード４の側面図である。
【図９】前記表示装置Ａのシェード４横断面図である。
【図１０】前記表示装置Ａのシェード４の正面図である。
【図１１】前記表示装置Ａの拡散板５の正面図である。
【図１２】前記表示装置Ａのレンズ６の側面図である。
【図１３】前記表示装置Ａのケース背面図である。
【図１４】本発明の実施の形態の他の例の拡散板の正面図であって、（ａ）は拡散板２０５を示し、（ｂ）は拡散板３０５を示している。
【符号の説明】
【００７０】
２     ケース
５     拡散板
５ａ   区画領域
５ｂ   連結部
６     レンズ
３１   ＬＥＤ（光源）
５１   区画長穴
５３   ラビリンス切欠部（ラビリンス貫通部）
６４   表示板
６４ａ 意匠部（表示部）
Ａ     表示装置
Ｃ     空間
【図１】
2008225199.tif 000003
【図２】
2008225199.tif 000004
【図３】
2008225199.tif 000005
【図４】
2008225199.tif 000006
【図５】
2008225199.tif 000007
【図６】
2008225199.tif 000008
【図７】
2008225199.tif 000009
【図８】
2008225199.tif 000010
【図９】
2008225199.tif 000011
【図１０】
2008225199.tif 000012
【図１１】
2008225199.tif 000013
【図１２】
2008225199.tif 000014
【図１３】
2008225199.tif 000015
【図１４】
2008225199.tif 000016